(57)【要約】【課題】  バランスリングと揺動板との衝突により発生する騒音を、簡便な手段で抑制した揺動板式圧縮機を提供する。【解決手段】  回転軸と、回転軸に係合して回転駆動される斜板と、斜板に係合して斜板と一体的に回転するバランスリングと、斜板とバランスリングとに挟持されて揺動駆動される揺動板と、揺動板に係合しシリンダボア内で往復駆動されるピストンとを備え、バランスリング表面の揺動板に対峙する部位が軟質素材により被覆されている。【選択図】  図１
2006207386.tif 000002
【特許請求の範囲】
【請求項１】
回転軸と、回転軸に係合して回転駆動される斜板と、斜板に係合して斜板と一体的に回転するバランスリングと、斜板とバランスリングとに挟持されて揺動駆動される揺動板と、揺動板に係合しシリンダボア内で往復駆動されるピストンとを備え、バランスリング表面の揺動板に対峙する部位が軟質素材により被覆されていることを特徴とする揺動板式圧縮機。
【請求項２】
回転軸と、回転軸に係合して回転駆動される斜板と、斜板に係合して斜板と一体的に回転するバランスリングと、斜板とバランスリングとに挟持されて揺動駆動される揺動板と、揺動板に係合しシリンダボア内で往復駆動されるピストンとを備え、揺動板表面のバランスリングに対峙する部位が軟質素材により被覆されていることを特徴とする揺動板式圧縮機。
【発明の詳細な説明】
【技術分野】
【０００１】
本発明は、揺動板式圧縮機に関するものである。
【背景技術】
【０００２】
回転軸と、回転軸に係合して回転駆動される斜板と、斜板に係合して斜板と一体的に回転するバランスリングと、斜板とバランスリングとに挟持されて揺動駆動される揺動板と、揺動板に係合しシリンダボア内で往復駆動されるピストンとを備える揺動板式圧縮機であって、バネを用いて揺動板をバランスリングへ向けて付勢し、両者間の隙間を減少させて両者の衝突を抑制し、当該衝突により発生する騒音を抑制した揺動板式圧縮機が、特許文献１に開示されている。
【特許文献１】特開平５−０１０２５６
【発明の開示】
【発明が解決しようとする課題】
【０００３】
特許文献１の揺動板式圧縮機においては、斜板と揺動板との間や斜板とバランスリングとの間にバネを配設しており、部品数の増加、組み立て工数の増加、構造の複雑化等を招いている。
本発明は上記問題に鑑みてなされたものであり、バランスリングと揺動板との衝突により発生する騒音を、簡便な手段で抑制した揺動板式圧縮機を提供することを目的とする。
【課題を解決するための手段】
【０００４】
上記課題を解決するために、本発明においては、回転軸と、回転軸に係合して回転駆動される斜板と、斜板に係合して斜板と一体的に回転するバランスリングと、斜板とバランスリングとに挟持されて揺動駆動される揺動板と、揺動板に係合しシリンダボア内で往復駆動されるピストンとを備え、バランスリング表面の揺動板に対峙する部位が軟質素材により被覆されていることを特徴とする揺動板式圧縮機を提供する。
また本発明においては、回転軸と、回転軸に係合して回転駆動される斜板と、斜板に係合して斜板と一体的に回転するバランスリングと、斜板とバランスリングとに挟持されて揺動駆動される揺動板と、揺動板に係合しシリンダボア内で往復駆動されるピストンとを備え、揺動板表面のバランスリングに対峙する部位が軟質素材により被覆されていることを特徴とする揺動板式圧縮機を提供する。
本発明に係る揺動板式圧縮機においては、バランスリング表面の揺動板に対峙する部位或いは揺動板表面のバランスリングに対峙する部位が、軟質素材により被覆されているので、バランスリングと揺動板とが衝突しても過大な騒音の発生は抑制される。バネ等の新規部品は不要なので、部品数は増加せず、組み立て工数は増加せず、構造は複雑化しない。
【発明の効果】
【０００５】
本発明に係る揺動板式圧縮機においては、本発明に係る揺動板式圧縮機においては、バランスリング表面の揺動板に対峙する部位或いは揺動板表面のバランスリングに対峙する部位が、軟質素材により被覆されているので、バランスリングと揺動板とが衝突しても騒音の発生は抑制される。バネ等の新規部品は不要なので、部品数は増加せず、組み立て工数は増加せず、構造は複雑化しない。
【発明を実施するための最良の形態】
【０００６】
本発明の実施例に係る揺動板式圧縮機を説明する。
【実施例１】
【０００７】
図１〜３に示すように、可変容量揺動板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２のボス部１２ａに、斜板１２の動的バランスを取るためのバランスリング１３が固定されている。
揺動板１４が、斜板１２のボス部１２ａに外嵌合するとともに、斜板１２とバランスリング１３とにより挟持されている。斜板１２と揺動板１４とに間にベアリング１５、１６が配設されている。バランスリング１３と揺動板１４と間には、バランスリング１３の揺動板１４に対する相対回転を許容するために隙間Ｓが形成されている。バランスリング１３表面の、隙間Ｓを隔てて揺動板１４に対峙する部位１３ａは、錫、および銅、ニッケル、亜鉛等の錫を含む合金等の軟質金属、ポリエチレン、ポリテトラフルオロエチレン等の高分子材料、等の軟質素材で被覆されている。
回転軸１０と平行に延在し揺動板１４の周縁に形成された凹部に嵌合して揺動板の回転を阻止するガイド棒１７が配設されている。ガイド棒１７は、後述するシリンダブロック１９とフロントハウジング２１とにより支持されている。
【０００８】
揺動板１４の周縁部にピストンロッド１８ａの一端が枢着されている。ピストンロッド１８ａの他端にピストンヘッド１８ｂが枢着されている。ピストンヘッド１８ｂは、シリンダブロック１９に形成されたシリンダボア１９ａに収容されている。
複数のピストンロッド１８ａと、複数のピストンヘッド１８ｂと、複数のシリンダボア１９ａとが、周方向に互いに間隔を隔てて配設されている。
回転軸１０、ローター１１、斜板１２、バランスリング１３、揺動板１４を収容するクランク室２０を、シリンダブロック１９と協働して形成するフロントハウジング２１が配設されている。回転軸１０は、フロントハウジング２１を貫通して外部へ延びている。
フロントハウジング２１に取りつけられた電磁クラッチ２２を介して図示しない外部駆動源から回転軸１０の先端部に回転動力が伝達される。
吸入室と吐出室とを形成するシリンダヘッド２３が配設されている。
シリンダブロック１９とシリンダヘッド２３との間にボア１９ａに連通する吸入穴と吐出穴とが形成された弁板２４が配設されている。弁板２４に吸入弁と吐出弁とが装着されている。
フロントハウジング２１、シリンダブロック１９、弁板２４、シリンダヘッド２３は、複数のボルトにより一体に組み付けられている。
【０００９】
可変容量揺動板式圧縮機Ａにおいては、図示しない外部駆動源の回転動力が電磁クラッチ２２を介して回転軸１０に伝達され、回転軸１０の回転がローター１１、リンク機構１３を介して斜板１２に伝達される。斜板１２の回転に伴い揺動板１４が揺動し、当該揺動がピストンロッド１８ａを介してピストンヘッド１８ｂに伝達され、ピストンヘッド１８ｂがシリンダボア１９ａ内で往復動する。外部冷凍回路から還流した冷媒ガスが、シリンダヘッド２３に形成された吸入ポートと吸入室と吸入穴と吸入弁とを介してシリンダボア１９ａへ吸入され、シリンダボア１９ａ内で圧縮され、吐出穴と吐出弁と吐出室とシリンダヘッド２３に形成された吐出ポートとを介して外部冷凍回路へ流出する。
【００１０】
揺動板式圧縮機Ａにおいては、バランスリング表面の、隙間Ｓを隔てて揺動板１４に対峙する部位１３ａが、軟質素材により被覆されているので、何らかの条件下で、揺動板１４と前記部位１３ａとが衝突しても、騒音の発生は抑制される。両者の衝突を回避するためにバネ等の新規部品を配設する必要がないので、部品数は増加せず、組み立て工数は増加せず、構造は複雑化しない。
従来の揺動板式圧縮機においては、揺動板１４がバランスリングの部位１３ａに衝突した時に過大な摺動摩擦が発生するのを防止するために、バランスリング表面の部位１３ａには切削加工を施し、揺動板１４表面の隙間Ｓを隔てて部位１３ａに対峙する部位１４ａには精密研削加工を施しているが、揺動板式圧縮機Ａにおいては、部位１３ａに軟質素材の被覆を形成するので、部位１４ａに精密研削加工を施す必要が無くなる。従って、部位１３ａに軟質素材の被覆を施しても、製造コスト増を招かない。
【実施例２】
【００１１】
バランスリング表面の、隙間Ｓを隔てて揺動板１４に対峙する部位１３ａを、軟質素材により被覆するのに代えて、揺動板表面の、隙間Ｓを隔ててバランスリング１３に対峙する部位１４ａを、軟質素材により被覆しても良い。
【産業上の利用可能性】
【００１２】
本発明は、揺動板式圧縮機に広く利用可能である。
【図面の簡単な説明】
【００１３】
【図１】本発明の実施例に係る可変容量揺動板式圧縮機の断面図である。
【図２】本発明の実施例に係る可変容量揺動板式圧縮機が備えるバランスリングの構造図である。（ａ）は平面図であり、（ｂ）は断面図である。
【図３】本発明の実施例に係る可変容量揺動板式圧縮機が備える揺動板の構造図である。（ａ）は平面図であり、（ｂ）は断面図である。
【符号の説明】
【００１４】
Ａ  可変容量揺動板式圧縮機
１０  回転軸
１１  ローター
１２  斜板
１３  バランスリング
１４  揺動板
１７  ガイド棒
１８ｂ  ピストンヘッド
１９ａ  シリンダボア
【図１】
2006207386.tif 000003
【図２】
2006207386.tif 000004
【図３】
2006207386.tif 000005